(57)【特許請求の範囲】
【請求項１】
内部に貯蔵室が形成された冷蔵庫本体と、
前記貯蔵室の前面に形成された開口を開閉する左扉及び右扉と、
前記左扉の閉時における貯蔵室側に軸支され、前記左扉の開閉に伴い回動する回動機構を備えた仕切板と、
前記仕切板に備えられた撮像手段と、
前記左扉の閉時における貯蔵室側に設けられたガスケットと、
前記左扉の開閉時、前記仕切板への衝撃を抑制する緩衝部材と、
を備え、
前記緩衝部材は、前記左扉の閉時における貯蔵室側に前記ガスケットの内部を貫通するように設けられたことを特徴とする冷蔵庫。
【請求項２】
前記緩衝部材は、前記左扉の閉時に前記仕切板と当接する位置に設けられたダンパを有することを特徴とする請求項１に記載の冷蔵庫。
【請求項３】
前記仕切板の上面に、前記仕切板を回動させるガイドレールを備え、
前記冷蔵庫本体は、前記ガイドレールに挿入されて前記仕切板の回動をガイドするガイドピンを備えたことを特徴とする請求項１または２に記載の冷蔵庫。
【請求項４】
前記ガイドレールの、前記左扉が解放状態から閉める際の前記ガイドピンの挿入が開始される点から前記ガイドピンの移動が終わる点の幅を徐々に狭くすることを特徴とする請求項３に記載の冷蔵庫。
【発明の詳細な説明】
【技術分野】
【０００１】
この発明は、両扉式の冷蔵庫に関する。
【背景技術】
【０００２】
昨今の冷蔵庫は、冷蔵庫本体の開口に両開き式の扉を備えたものがあり、これらの扉を開閉することで、食糧等の出し入れを可能にしている。また、この両扉の間には冷蔵庫が閉まった状態で庫内の冷気を庫外に逃がさないように仕切板が設けられている。この仕切板は、細長い矩形形状をしており、扉が開閉する度に方向を変える構成となっている。
【０００３】
また、昨今、冷蔵庫内にある食料等の状況を家にいなくても把握できるように、インターネットに接続可能な通信手段と、貯蔵室内の食品を撮影するカメラと備えた冷蔵庫が登場している（特許文献１）。このカメラは仕切板の内側に備えられており、扉が閉まった状態で庫内側を向き、扉が開いた状態では方向を変えるため、食品の取り出しの際に邪魔になりにくい構成となっている。
【先行技術文献】
【特許文献】
【０００４】
【特許文献１】特開２０１５−１４８３６６号公報
【発明の概要】
【発明が解決しようとする課題】
【０００５】
しかし、特許文献１に記載の冷蔵庫は、扉の開閉の度に、仕切板も方向が変わるため、その都度振動がカメラに伝わり、故障の原因となる恐れがあった。また、カメラが振動することで長期間定点を撮影することが難しかった。
【０００６】
そこで、本発明は、このような課題を解決するためになされたもので、扉の開閉に伴うカメラに伝わる衝撃を減少させることを目的とする。
【課題を解決するための手段】
【０００７】
この発明に係る冷蔵庫は、内部に貯蔵室が形成された冷蔵庫本体と、前記貯蔵室の前面に形成された開口を開閉する左扉及び右扉と、前記左扉の閉時における貯蔵室側に軸支され、前記左扉の開閉に伴い回動する回動機構を備えた仕切板と、前記仕切板に備えられた撮像手段と、前記左扉の閉時における貯蔵室側に設けられたガスケットと、前記左扉の開閉時、前記仕切板への衝撃を抑制する緩衝部材と、を備え、前記緩衝部材は、前記左扉の閉時における貯蔵室側に前記ガスケットの内部を貫通するように設けられたことを特徴とするものである。
【発明の効果】
【０００８】
この発明に係る冷蔵庫は、扉開閉時の仕切板への衝撃を抑制する緩衝機能を備えたことで、扉の開閉に伴うカメラに伝わる衝撃を減少させることができる。
【図面の簡単な説明】
【０００９】
【図１】実施の形態１に係る冷蔵庫の正面図である。
【図２】実施の形態１に係る冷蔵庫の両側の扉が解放した状態を示す図である。
【図３】実施の形態１に係る冷蔵庫の扉が解放状態での仕切板の状態を示す図である。
【図４】実施の形態１に係る冷蔵庫の扉が閉まった状態での仕切板の状態を示す図である。
【図５】実施の形態１に係る冷蔵庫の左側扉が解放する際の、仕切板に形成されたガイドレールと、冷蔵庫本体に形成されたガイドピンの位置関係を示す図である。
【図６】実施の形態１に係る冷蔵庫の扉が閉まった状態で仕切板に形成されたガイドレールと、冷蔵庫本体に形成されたガイドピンの位置関係を示す図である。
【図７】実施の形態１に係る冷蔵庫の左側扉に設けられた緩衝部材の構成を示す斜視図である。
【図８】実施の形態１に係る冷蔵庫の左側扉が解放時の緩衝部材の構成を示す断面図。
【図９】実施の形態１に係る冷蔵庫の左側扉が閉時の緩衝部材の構成を示す断面図。
【図１０】実施の形態１に係る冷蔵庫の左側扉が解放時の仕切板に設けられた緩衝部材の構成を示す図である。
【図１１】実施の形態１に係る冷蔵庫の左側扉が閉時の仕切板に設けられた緩衝部材の構成を示す図である。
【図１２】実施の形態２に係る冷蔵庫の仕切板の回動機構に設けられた緩衝部材の構成を示す図である。
【図１３】実施の形態２に係る冷蔵庫の仕切板の回動機構に設けられた緩衝部材のその他の構成を示す図である。
【図１４】実施の形態３に係る冷蔵庫の左側扉が解放時における仕切板の上面に形成されたガイドレールの構成を示す図である。
【図１５】実施の形態３に係る冷蔵庫の左側扉が閉時における仕切板の上面に形成されたガイドレールの構成を示す図である。
【図１６】実施の形態４に係る冷蔵庫の左側扉が解放時における冷蔵庫本体に設けられたガイドピンの構成を示す図である。
【図１７】実施の形態４に係る冷蔵庫の左側扉が閉時における冷蔵庫本体に設けられたガイドピンの構成を示す図である。
【発明を実施するための形態】
【００１０】
実施の形態１
本発明の実施の形態１に係る冷蔵庫の構成について図１から図１１を用いて説明する。図１は実施の形態１に係る冷蔵庫の正面図である。図２は実施の形態１に係る冷蔵庫の両側の扉が解放した状態を示す図である。図３は実施の形態１に係る冷蔵庫の扉が解放状態での仕切板の状態を示す図である。図４は実施の形態１に係る冷蔵庫の扉が閉まった状態での仕切板の状態を示す図である。図５は実施の形態１に係る冷蔵庫の左側扉が解放する際の、仕切板に形成されたガイドレールと、冷蔵庫本体に形成されたガイドピンの位置関係を示す図である。図６は実施の形態１に係る冷蔵庫の扉が閉まった状態で仕切板に形成されたガイドレールと、冷蔵庫本体に形成されたガイドピンの位置関係を示す図である。図７は実施の形態１に係る冷蔵庫の左側扉に設けられた緩衝部材の構成を示す斜視図である。図８は実施の形態１に係る冷蔵庫の左側扉が解放時の緩衝部材の構成を示す断面図。図９は実施の形態１に係る冷蔵庫の左側扉が閉時の緩衝部材の構成を示す断面図。図１０は実施の形態１に係る冷蔵庫の左側扉が解放時の仕切板に設けられた緩衝部材の構成を示す図である。図１１は実施の形態１に係る冷蔵庫の左側扉が閉時の仕切板に設けられた緩衝部材の構成を示す図である。
【００１１】
図１に示すように、実施の形態１に係る冷蔵庫１は、内部に複数の貯蔵室が形成された箱状の冷蔵庫本体２を備えている。そして、冷蔵庫本体２に形成された貯蔵室は冷蔵室３、製氷室４、切替室５、冷凍室６、野菜室７で構成されている。なお、冷蔵庫１に設けられる貯蔵室はこれらに限るものではない。
【００１２】
冷蔵室３は、冷蔵庫１の最上段に配置されている。冷蔵室３の前面には冷蔵室３の左側を開閉可能な左扉８ａと、冷蔵室３の右側を開閉可能な右扉８ｂが設けられている。冷蔵室３が開閉自在に設けられている。左扉８ａと右扉８ｂは観音開き式のドアである。左扉８ａ、右扉８ｂは冷蔵庫本体２の左右扉壁とそれぞれヒンジにより回動可能に連結されている。左扉８ａの前面には、操作パネル９が設けられている。
【００１３】
冷蔵室３の１つ下段、すなわち、冷蔵庫１の上から２段目には、左側に製氷室４、右側に切替室５が配置されている。製氷室４の前面部には、製氷室ドア１０が備えられている。切替室５の前面部には、切替室ドア１１が備えられている。切替室５は、冷凍温度帯（−１８℃）及びソフト冷凍の温度帯（−７℃）等の予め定められた複数の設定温度のうちから所望の温度を選択し、室内の温度を切り替えることができる。
【００１４】
製氷室４及び切替室５の１つ下段、すなわち、冷蔵庫１の上から３段目には、冷凍室６が配置されている。冷凍室６の前面部には、冷凍室ドア１２が備えられている。冷凍室６の一つ下段、すなわち冷蔵庫１の最下段には、野菜室７が配置されている。野菜室７の前面部には、野菜室ドア１３が備えられている。
【００１５】
製氷室４、切替室５、冷凍室６及び野菜室７の各貯蔵室は、引出し状に構成されている。すなわち、製氷室ドア１０、切替室ドア１１、冷凍室ドア１２及び野菜室ドア１３の各ドアは引き出し式のドアである。そして、これらの貯蔵室は、冷蔵庫１内に収容された状態から、それぞれの前面に設けられた前板部を持って手前側へと引き出すことができるようになっている。
【００１６】
図２に示すように、冷蔵室３の内部の空間は食品棚１４により区画されている。また、冷蔵室３の内部の最下段は仕切られてチルド室１５が設けられている。チルド室１５には、引き出し式の食品収納ケースが備えられている。チルド室１５は、冷蔵室３の内部に設けられているが、冷蔵室３より低い温度を保つことができる貯蔵室である。なお、これらの食品棚１４の有無及び配置、チルド室１５の有無並びにチルド室１５の保存温度等の冷蔵室３内のレイアウトについては、これに限られない。
【００１７】
なお、図示しないが、冷蔵庫１の冷蔵庫本体２は断熱材により囲われており、冷蔵庫本体２の内部に形成された各貯蔵室は外部と断熱されている。冷蔵庫１には、各貯蔵室へ供給する空気を冷却する冷凍サイクル回路（図示せず）が備えられている。冷凍サイクル回路は、圧縮機、凝縮器、絞り装置及び冷却器等を備えている。
【００１８】
冷蔵室３内の天井部には、照明１６が設けられている。照明１６は、貯蔵室である冷蔵室３の内部を照射する照明装置である。冷蔵庫１の使用者が左扉８ａ又は右扉８ｂを開くと照明１６が点灯される。
【００１９】
冷蔵室３の左扉８ａには、上段から順にドアポケット１７ａ、ドアポケット１８ａ、ドアポケット１９ａが設けられており、右扉８ｂには、上段から順にドアポケット１７ｂ、ドアポケット１８ｂ、ドアポケット１９ｂが設けられている。また、左扉８ａには、左扉８ａ、右扉８ｂの閉時に右扉８ｂ互いの隙間を埋めるための回動式の仕切板２０が設けられている。仕切板２０は非金属材料例えば合成樹脂で構成されている。仕切板２０は、全体として細長い矩形形状をしている。
【００２０】
図３、図４を用いて仕切板の構成について説明する。
仕切板２０は、左扉８ａ、右扉８ｂの閉時、左扉８ａ、右扉８ｂと対向する前端面２０ａと、冷蔵室３の貯蔵室側を向く後端面２０ｂと、ドアポケット１７ａ、１８ａ、１９ａ側を向く左端面２０ｃと、ドアポケット１７ｂ、１８ｂ、１９ｂ側を向く右端面２０ｄとで構成されている。この場合、断面形状において前端面２０ａ、後端面２０ｂが長方形の長辺をなし、左端面２０ｃ、右端面２０ｄが短辺をなす。
【００２１】
仕切板２０は、左扉８ａの右端部の裏面側に上下のヒンジ２１によって回動可能に設けられている。この仕切板２０は、左扉８ａの開放状態では左扉８ａとほぼ直角をなす形態で左扉８ａ内面より突出する。すなわち、左扉８ａの解放状態では、前端面２０ａはドアポケット１７ｂ、１８ｂ、１９ｂ側を向き、後端面２０ｂはドアポケット１７ａ、１８ａ、１９ａ側を向き、左端面２０ｃは左扉８ａ、右扉８ｂ側を向き、右端面２０ｄは、冷蔵室３の貯蔵室側を向く。仕切板２０のこれらの状態は仕切板２０に設けられた仕切板回転バネ２６（後述する）によって保持される。
【００２２】
また、仕切板２０の後端面２０ｂには撮像手段としてカメラ２２が備えられている。カメラ２２は、レンズを備えるとともに、内部に撮像素子や通信部、さらにはこれら撮像素子や通信部を制御する制御部などを備えている。カメラ２２のレンズは、左扉８ａの閉時、左扉８ａから冷蔵室３の奥へと向けて設置されている。すなわち、カメラ２２の撮影視野は、冷蔵室３の手前側から奥側へと向けて広がるように調整されている。このように、カメラ２２を仕切板２０の後端面２０ｂに備えることで、左扉８ａの閉時にはカメラ２２のレンズは貯蔵室側を向くので、庫内を撮影できる。さらに、左扉８ａの解放時はドアポケット１７ａ、１８ａ、１９ａ側を向くので、食料品等の出し入れを行う際に、レンズへの付着を抑制することができる。また、冷蔵庫１は中継用通信部を備えている。
【００２３】
このカメラ２２は、外部機器（スマートホンやタブレット端末、パソコンなど）からの撮像指令を前記中継用通信部を介して受け取ると、冷蔵室３内を撮像し、その撮像画像を中継用通信部を介して又広域通信網や近距離通信手段を介して外部機器に送信する。又、このカメラ２２は、自らのタイマー機能による自動起動などにより冷蔵室３内を撮像することも可能であり、この場合もその撮像画像を中継用通信部を介して又広域通信網や近距離通信手段を介して外部機器に送信する。
【００２４】
続いて、図５、図６を用いて、仕切板の動作の説明を行う。
この仕切板２０の上端部には、図５及び図６に示すように、長手方向に所定形状のガイドレール２０ｆが形成されている。そして、冷蔵室３の天井面にはガイドレール２０ｆが嵌合可能なガイドピン２３が形成されている。左扉８ａが開放状態から閉方向へ回動されると、ガイドレール２０ｆがガイドピン２３と嵌合し、ガイドレール２０ｆの所定形状によって仕切板２０を回動させる。同様に、閉状態から解放方向へ回動される場合は、仕切板２０は開放状態から閉方向へ回動される場合とは逆の方向に回動される。
【００２５】
これにより、左扉８ａの閉時においては仕切板２０が左扉８ａの右端部からさらに右方へ突出し、前端面２０ａは左扉ガスケット２４ａ、右扉ガスケット２４ｂと接触する。よって、この仕切板２０により左扉８ａ、右扉８ｂ間における開口が塞がれる。
【００２６】
続いて、図７から図１１を用いて、仕切板２０の回動時の衝撃を吸収する緩衝部材の構成について説明する。
図７に示すように、左扉８ａの裏面側で、左扉８ａの閉時に仕切板２０の前端面２０ａと当接する位置に突起ピンタイプのダンパ２５が備えられている。図８、図９に示すように、ダンパ２５は、左扉８ａが閉時に仕切板２０前端面２０ａと一端部で接触するピン部２５ａと、ピン部２５ａの他端部と接続されるバネ部（図示せず）と、バネ部の周囲を覆う外郭部２５ｂで構成される。ピン部２５ａは左扉８ａが解放している時は、仕切板２０と接触していないが、左扉８ａが閉時は仕切板２０前端面２０ａと一端部で接触する。そしてバネ部は、左扉８ａが解放している時は伸びた状態であるが、左扉８ａが閉時はバネ部は押し縮められた状態となる。よって、左扉８ａを解放状態から、勢いよく閉めようとした場合でも、バネ部がショックを吸収するため、扉の開閉に伴う、仕切板２０に設けられたカメラ２２に伝わる衝撃を減少させることができる。ここではダンパ２５を一つだけ設けているが複数設けるとよりショックを吸収することが出来るため、複数設けてももちろんよい。
【００２７】
また、図７から図９に示すように、ピン部２５ａは左扉ガスケット２４ａの内部を貫通させることで、ダンパ２５を設けた場合でも左扉８ａのサイズを大きくする必要はない。もちろん、ピン部２５ａを左扉ガスケット２４ａの内部を貫通させなくても、扉の開閉に伴うカメラ２２に伝わる衝撃を減少させることができる。
【００２８】
他にも、ダンパ２５の代わりにエラストマー性の緩衝材２９を左扉８ａの裏面に設けても同様の効果を得ることが可能である。さらに、エラストマー性の緩衝材２９は出荷後であっても低コストかつ簡易に後付けできる。ここでは、エラストマー性の緩衝剤を例に挙げたが、扉の開閉に伴うカメラ２２に伝わる衝撃を減少させることができる緩衝材であれば何でもよい。
【００２９】
上述した例えばエラストマー性の緩衝材は、図１０、図１１に示すように仕切板２０の前端面２０ａに直接取り付けることも可能である。このような構成にすることで、より広範囲に緩衝剤を取り付けることができるため、扉の開閉に伴う仕切板２０に伝わる衝撃をさらに減少させることができる。
【００３０】
実施の形態１に係る冷蔵庫は、扉開閉時の仕切板への衝撃を抑制する緩衝部材を左扉の裏面又は前端面２０ａに設けたため、扉の開閉に伴うカメラに伝わる衝撃を減少させることができるという特有の効果を奏する。
【００３１】
実施の形態２
本発明の実施の形態２に係る冷蔵庫の構成について図１２、図１３を用いて説明する。図１２は実施の形態２に係る冷蔵庫の仕切板の回動機構に設けられた緩衝部材の構成を示す図である。図１３は、実施の形態２に係る冷蔵庫の仕切板の回動機構に設けられた緩衝部材のその他の構成を示す図である。なお、本実施の形態２では実施の形態１との相違点を中心に説明し、実施の形態１と同様の構成及び効果については省略する。また、実施の形態１と同一の構成については同一の符号を用いる。
【００３２】
図１２に示すように、仕切板２０の後端面２０ｂには、仕切板２０の回転運動を開始または保持させる仕切板回転バネ２６と、左扉８ａ、右扉８ｂの開閉時の仕切板２０へ衝撃を減少させる仕切板緩衝バネ２７とが備えられている。仕切板回転バネ２６は、左扉８ａの閉時、仕切板２０の後端面２０ｂが冷蔵室３の貯蔵室側を向く状態で仕切板２０を保持させる性質を有する。また、仕切板回転バネ２６は、左扉８ａの解放時、仕切板２０の後端面２０ｂがドアポケット１７ａ、１８ａ、１９ａ側を向く状態で仕切板２０を保持させる性質を有する。さらに、仕切板回転バネ２６は、前述した保持状態から左扉８ａの開閉に伴い一旦仕切板２０の回動が開始すると、回転を加速させる性質を有する。
【００３３】
仕切板緩衝バネ２７は、仕切板回転バネ２６と異なる性質を有する。仕切板回転バネ２６と性質の異なる仕切板緩衝バネ２７バネをさらに設けることで、互いに干渉仕合い、左扉８ａの開閉に伴う仕切部材２０に伝わる衝撃を減少させることができる。特に、仕切板回転バネ２６が仕切板２０の回動が終わるときに仕切板２０の速度を減速させる性質を有していれば、扉の開閉に伴うカメラ２２に伝わる衝撃をさらに減少させることが可能となる。
【００３４】
その他にも、図１３に示すように、仕切板２０と左扉８ａを連結するヒンジ２１に回転式トルクダンパ２８を装着することで、仕切板２０の回転開始時、回転終了時の回転速度を減少させることが出来るため、扉の開閉に伴うカメラ２２に伝わる衝撃をさらに減少させることが可能となる。
【００３５】
このように実施の形態２に係る冷蔵庫は、仕切板の回転機構に緩衝部材を設けたため、扉の開閉に伴うカメラに伝わる衝撃を減少させることができるという特有の効果を奏する。さらに、利用者の目につきにくい回転部に緩衝部材を設けているため意匠性に優れるという特有の効果も有する。
【００３６】
実施の形態３
本発明の実施の形態３に係る冷蔵庫の構成について図１４、図１５を用いて説明する。図１４は実施の形態３に係る冷蔵庫の左側扉が解放時における仕切板の上面に形成されたガイドレールの構成を示す図である。図１５は、実施の形態３に係る冷蔵庫の左側扉が閉時における仕切板の上面に形成されたガイドレールの構成を示す図である。なお、本実施の形態３では実施の形態１、実施の形態２との相違点を中心に説明し、同様の構成及び効果については省略する。また、実施の形態１、実施の形態２と同一の構成については同一の符号を用いる。
【００３７】
実施の形態３に係る冷蔵庫１は仕切板２０の上面に設けられたガイドレール２０ｆの構成に特徴を有する。
図１４、図１５に示すように、ガイドレール２０ｆの、左扉８ａが解放状態から閉める際、ガイドピン２３の挿入が開始される点を挿入開始点２０ｆａ、ガイドピン２３の移動が終わる点を挿入終点２０ｆｂとする。実施の形態３に係る冷蔵庫１に係る仕切板２０は、挿入開始点２０ｆａから挿入終点２０ｆｂまでのガイドレール２０ｆの幅を徐々に狭くする構成となっている。このような構成にすることで、ガイドピン２３がガイドレール２０ｆ内を通過する際に徐々に接触抵抗が大きくなる。よって、仕切板２０の回転速度が徐々に遅くなる。
【００３８】
実施の形態３はガイドレール２０ｆの幅自体を徐々に狭くした構成であるが、他にもガイドレール２０ｆ内の挿入終点２０ｆｂに緩衝材を取り付けることで、実質的にガイドレール２０ｆの幅を徐々に狭くしても同様の効果を奏する。
【００３９】
このように実施の形態３に。係る冷蔵庫は、仕切板のガイドレールの幅を徐々に狭くしたことで、扉の開閉に伴うカメラに伝わる衝撃を減少させることができるという特有の効果を奏する。さらに、緩衝部材として追加の新たな部品等を必要としないため意匠性に優れるという特有の効果も有する。
【００４０】
実施の形態４
本発明の実施の形態４に係る冷蔵庫の構成について図１６、図１７を用いて説明する。図１６は実施の形態４に係る冷蔵庫の左側扉が解放時における冷蔵庫本体に設けられたガイドピンの構成を示す図である。図１７は、実施の形態４に係る冷蔵庫の左側扉が閉時における冷蔵庫本体に設けられたガイドピンの構成を示す図である。なお、本実施の形態４では実施の形態１、実施の形態２、実施の形態３との相違点を中心に説明し、同様の構成及び効果については省略する。また、実施の形態１、実施の形態２、実施の形態３と同一の構成については同一の符号を用いる。
【００４１】
実施の形態４に係る冷蔵庫１のガイドピン２３ａには、左扉８ａを解放状態から閉める際の衝撃を吸収する緩衝機能を備えている。例えば、ガイドピン２３ａにショックを吸収するバネ（図示せず）を備える。このような構成にすることで、左扉８ａを閉める際、図１６のようにガイドピン２３ａがガイドレール２０ｆに接触すると、図１７のようにガイドピン２３ａが奥側に移動し衝撃を吸収することができる。
【００４２】
他にも、例えば、ガイドピン２３ａ自体を緩衝材で構成することで同様の効果を得ることができる。
【００４３】
このように実施の形態４に係る冷蔵庫は、ガイドピンに緩衝機能を備えたことで、扉の開閉に伴うカメラに伝わる衝撃を減少させることができるという特有の効果を奏する。さらに、利用者の目につきにくいガイドピンに緩衝部材を設けているため意匠性に優れるという特有の効果も有する。
【符号の説明】
【００４４】
１  冷蔵庫、２  冷蔵庫本体、３  冷蔵室、４  製氷室、５  切替室、６  冷凍室、７  野菜室、８ａ  左扉、８ｂ  右扉、９  操作パネル、１０  製氷室ドア、１１  切替室ドア、１２  冷凍室ドア、１３  野菜室ドア、１４  食品棚、１５  チルド室、１６  照明、１７ａ  ドアポケット、１７ｂ  ドアポケット、１８ａ  ドアポケット、１８ｂ  ドアポケット、１９ａ  ドアポケット、１９ｂ  ドアポケット、２０  仕切板、２０ａ  前端面、２０ｂ  後端面、２０ｃ  左端面、２０ｄ  右端面、２０ｆ  ガイドレール、２０ｆａ  挿入開始点、２０ｆｂ  挿入終点、２１  ヒンジ、２２  カメラ、２３  ガイドピン、２３ａ  ガイドピン、２４ａ  左扉ガスケット、２４ｂ  右扉ガスケット、２５  ダンパ、２５ａ  ピン部、２５ｂ  外郭部、２６  仕切板回転バネ、２７  仕切板緩衝バネ、２８  回転式トルクダンパ、２９  緩衝材
【図１】
0006409797.tif 000002
【図２】
0006409797.tif 000003
【図３】
0006409797.tif 000004
【図４】
0006409797.tif 000005
【図５】
0006409797.tif 000006
【図６】
0006409797.tif 000007
【図７】
0006409797.tif 000008
【図８】
0006409797.tif 000009
【図９】
0006409797.tif 000010
【図１０】
0006409797.tif 000011
【図１１】
0006409797.tif 000012
【図１２】
0006409797.tif 000013
【図１３】
0006409797.tif 000014
【図１４】
0006409797.tif 000015
【図１５】
0006409797.tif 000016
【図１６】
0006409797.tif 000017
【図１７】
0006409797.tif 000018